(57)【要約】【課題】  保存先での検索を効率よく行い、インタネット上への流出を容易に検索することが可能な携帯電話機を提供する。【解決手段】  制御部１３はカメラ部１５にて撮影が行われると、その撮影された画像にメモリ部１４の端末ＩＤ記憶領域１４１内の携帯電話機特有のＩＤを電子透かしとして埋め込み、電子透かし入りの画像を作成する。制御部１３は作成した電子透かし入りの画像をメモリ部１４の画像記憶領域１４２に保持するとともに、無線部１２及びアンテナ１１を通してインタネット上に公開する。制御部１３は無線部１２及びアンテナ１１を通してインタネットにアクセスし、メモリ部１４の端末ＩＤ記憶領域１４１内の携帯電話機特有のＩＤを用いて画像を検索し、画像に埋め込まれた電子透かしを調べることによって画像を検出する。【選択図】      図１
2007158865.tif 000002
【特許請求の範囲】
【請求項１】
自端末にて処理されるデータに自端末特有の識別情報を電子透かしとして埋め込む手段と、前記自端末特有の識別情報を基に前記データを検索する手段とを有することを特徴とする携帯電話機。
【請求項２】
前記データは、自端末に搭載するカメラ機能にて撮影した画像データであることを特徴とする請求項１記載の携帯電話機。
【請求項３】
前記データは、少なくとも自端末に搭載するアプリケーションプログラムにて作成した楽曲データ及び外部からダウンロードした楽曲データであることを特徴とする請求項１または請求項２記載の携帯電話機。
【請求項４】
前記楽曲データの再生時にその楽曲データに埋め込まれた電子透かしと前記識別情報とを比較する手段と、その比較結果が不一致の時に前記楽曲データの再生を抑止する手段とを含むことを特徴とする請求項３記載の携帯電話機。
【請求項５】
前記識別情報は、少なくともユーザに対して固定的に割り当てられるユーザ識別子及びユーザに対して一時的に割り当てられるユーザ識別子のいずれかであることを特徴とする請求項１から請求項４のいずれか記載の携帯電話機。
【請求項６】
携帯電話機が、前記携帯電話機にて処理されるデータに前記携帯電話機特有の識別情報を電子透かしとして埋め込む処理と、前記携帯電話機特有の識別情報を基に前記データを検索する処理とを実行することを特徴とする電子透かし埋め込み／検出方法。
【請求項７】
前記データが、前記携帯電話機に搭載するカメラ機能にて撮影した画像データであることを特徴とする請求項６記載の電子透かし埋め込み／検出方法。
【請求項８】
前記データが、少なくとも前記携帯電話機に搭載するアプリケーションプログラムにて作成した楽曲データ及び外部からダウンロードした楽曲データであることを特徴とする請求項６または請求項７記載の電子透かし埋め込み／検出方法。
【請求項９】
前記携帯電話機が、前記楽曲データの再生時にその楽曲データに埋め込まれた電子透かしと前記識別情報とを比較する処理と、その比較結果が不一致の時に前記楽曲データの再生を抑止する処理とを実行することを特徴とする請求項８記載の電子透かし埋め込み／検出方法。
【請求項１０】
前記識別情報が、少なくともユーザに対して固定的に割り当てられるユーザ識別子及びユーザに対して一時的に割り当てられるユーザ識別子のいずれかであることを特徴とする請求項６から請求項９のいずれか記載の電子透かし埋め込み／検出方法。
【請求項１１】
携帯電話機のコンピュータに、前記携帯電話機にて処理されるデータに前記携帯電話機特有の識別情報を電子透かしとして埋め込む処理と、前記携帯電話機特有の識別情報を基に前記データを検索する処理とを実行させるための電子透かし埋め込み／検出方法のプログラム。
【発明の詳細な説明】
【技術分野】
【０００１】
本発明は携帯電話機及びそれに用いる電子透かし埋め込み／検出方法並びにそのプログラムに関し、特にカメラ機能やオーディオ機能を持つ携帯電話機に関する。
【背景技術】
【０００２】
近年、携帯電話機においては、それに搭載される機能の高度化に伴って、カメラ機能やオーディオ機能が搭載されるようになってきている。カメラ機能で撮影された画像は自端末に記憶可能であるばかりでなく、パーソナルコンピュータや他の携帯電話機に対して、電子メールに添付する等の方法で転送することも可能となってきている。
【０００３】
また、オーディオ機能では、携帯電話機に搭載したＷｅｂ機能によって、そのオーディオ機能で再生可能な楽曲を専用のサイトからダウンロードすることで、その楽曲をいつでも視聴可能となっている。
【０００４】
上述した画像については、著者に無断で流通するのを防止するための技術として、電子透かしの技術がある（例えば、特許文献１参照）。電子透かしとは画像に情報を埋め込む技術である。電子透かしを埋め込んだ画像は見た目上、透かし情報が入っている画像と入っていない画像を区別することができないので、不正に流通したことを検出することができる。尚、楽曲に電子透かしを埋め込むことも提案されている（例えば、特許文献２参照）。
【０００５】
【特許文献１】特開２００１−０７６０００号公報
【特許文献２】特開２００１−２９７０８６号公報
【発明の開示】
【発明が解決しようとする課題】
【０００６】
現在、携帯電話機にはカメラ機能が搭載されているものがほとんどであり、そのカメラ機能を用いていろいろな場面での撮影が行われている。しかしながら、携帯電話機にて撮影した画像が意図しない形でインタネット上に公開された場合には、その画像を検索することが困難である。
【０００７】
そこで、本発明の目的は上記の問題点を解消し、保存先での検索を効率よく行うことができるとともに、インタネット上への流出を容易に検索することができる携帯電話機及びそれに用いる電子透かし埋め込み／検出方法並びにそのプログラムを提供することにある。
【課題を解決するための手段】
【０００８】
本発明による携帯電話機は、自端末にて処理されるデータに自端末特有の識別情報を電子透かしとして埋め込む手段と、前記自端末特有の識別情報を基に前記データを検索する手段とを備えている。
【０００９】
本発明による電子透かし埋め込み／検出方法は、携帯電話機が、前記携帯電話機にて処理されるデータに前記携帯電話機特有の識別情報を電子透かしとして埋め込む処理と、前記携帯電話機特有の識別情報を基に前記データを検索する処理とを実行している。
【００１０】
本発明による電子透かし埋め込み／検出方法のプログラムは、携帯電話機のコンピュータに、前記携帯電話機にて処理されるデータに前記携帯電話機特有の識別情報を電子透かしとして埋め込む処理と、前記携帯電話機特有の識別情報を基に前記データを検索する処理とを実行させている。
【００１１】
すなわち、本発明の携帯電話機は、自端末に搭載するカメラ機能で撮影した画像や自作の楽曲等に、携帯電話機特有のＩＤ（ＩＤｅｎｔｉｆｉｅｒ）［例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）等］を電子透かしとして埋め込み、その電子透かしを埋め込んだ画像や楽曲等を携帯電話機特有のＩＤを用いて検索することを特徴とする
【００１２】
上記の電子透かしの埋め込み機能や電子透かしの検索機能は、携帯電話機で撮影した画像や自作の楽曲等がインタネット上に流出した場合、携帯電話機特有のＩＤを使用して検索することが可能であり、どの携帯電話機で撮影した画像や作成した楽曲等かを判断することが可能となる。
【００１３】
上記のように、本発明の携帯電話機では、撮影された画像や作成された楽曲等に携帯電話機特有のＩＤを電子透かし情報として埋め込み、それらを検索する場合にその携帯電話機特有のＩＤを使用することで、保存先での検索を効率よく行うことが可能になるとともに、インタネット上への流出を容易に検索することが可能となる。この場合には、検索精度も向上する。
【発明の効果】
【００１４】
本発明は、上記のような構成及び動作とすることで、保存先での検索を効率よく行うことができるとともに、インタネット上への流出を容易に検索することができるという効果が得られる。
【発明を実施するための最良の形態】
【００１５】
次に、本発明の実施例について図面を参照して説明する。図１は本発明の一実施例による携帯電話機の構成を示すブロック図である。図１において、携帯電話機１はアンテナ１１と、無線部１２と、制御部１３と、メモリ部１４と、キー入力部１５と、カメラ部１６と、表示部１７と、ＬＥＤ（Ｌｉｇｈｔ  Ｅｍｉｔｔｉｎｇ  Ｄｉｏｄｅ）１８と、スピーカ１９とを含んで構成されている。
【００１６】
メモリ部１４には、携帯電話機特有のＩＤ（ＩＤｅｎｔｉｆｉｅｒ）［例えば、ユーザに対して固定的に割り当てられるユーザ識別子であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やユーザに対して一時的に割り当てられるユーザ識別子であるＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）等］を保持する端末ＩＤ記憶領域１４１と、カメラ部１６で撮影された画像を保持する画像記憶領域１４２とを備えている。尚、図示していないが、メモリ部１４には制御部１３で実行されるプログラムを保持する領域も備えている。
【００１７】
携帯電話機１では、アンテナ１１と無線部１２と制御部１３とを使用し、携帯電話機１と図示せぬ基地局との間の通話／電子メールデータ等の送信受信が行われる。また、携帯電話機１では、キー入力部１４を介して使用者による通話及び電子メール作成時のキー操作及びスケジュール入力が行われる。
【００１８】
表示部１６は制御部１３から出力される電子メールデータやスケジュール内容等の各種設定時の選択画面、及びカメラ部１５における撮影動作時の画像、メモリ部１４に記憶した画像等を表示する。ＬＥＤ１８及びスピーカ１９は携帯電話機１の呼出時の報知等を行う。
【００１９】
図２は本発明の一実施例による電子透かし埋め込み処理を示すフローチャートであり、図３は本発明の一実施例による画像検出処理を示すフローチャートである。これら図１〜図３を参照して本発明の一実施例による画像処理について説明する。尚、図２及び図３に示す処理は制御部１３がメモリ部１４のプログラムを実行することで実現される。
【００２０】
携帯電話機１の制御部１３はカメラ部１５にて撮影が行われると（図２ステップＳ１）、カメラ部１５で撮影された画像にメモリ部１４の端末ＩＤ記憶領域１４１内の携帯電話機特有のＩＤを電子透かしとして埋め込み（図２ステップＳ２）、電子透かし入りの画像を作成する（図２ステップＳ３）。
【００２１】
携帯電話機１の制御部１３は作成した電子透かし入りの画像をメモリ部１４の画像記憶領域１４２に保持するとともに、無線部１２及びアンテナ１１を通して図示せぬインタネット上に公開する（図２ステップＳ４）。尚、画像のインタネット上への公開とは、携帯電話機１の使用者が作成してインタネット上に公開しているホームページやその使用者が借りているＩＳＰ（Ｉｎｔｅｒｎｅｔ  Ｓｅｒｖｉｃｅ  Ｐｒｏｖｉｄｅｒ）等の保存領域（ホスティングサービスによる保存領域や携帯電話機１のキャリアが提供する保存領域も含む）へのアップロード等を示している。
【００２２】
次に、上記のインタネット上に公開した画像を検出する場合（上記の保存領域のみならず、インタネット上に流出した画像を検出する場合も含む）、携帯電話機１の制御部１３は無線部１２及びアンテナ１１を通してインタネットにアクセスし、メモリ部１４の端末ＩＤ記憶領域１４１内の携帯電話機特有のＩＤを用いて画像を検索する（図３ステップＳ１１）。
【００２３】
この場合、インタネット上で検索する際には、携帯電話機１に提供されている検索エンジンを用いて画像を検索してもよく、また上記の保存領域にアクセスして単に携帯電話機特有のＩＤを用いて画像を検索してもよい。
【００２４】
この携帯電話機特有のＩＤを用いて画像を検索する場合には、画像に埋め込まれた電子透かしを調べることによって画像の検出が行われる（図３ステップＳ１２）。したがって、この検索によって、携帯電話機１のカメラ部１５にて撮影され、制御部１３の制御で携帯電話機特有のＩＤが電子透かしとして埋め込まれた画像を検出することができる。
【００２５】
このように、本実施例では、携帯電話機特有のＩＤを電子透かしとして画像に入れることによって、電子透かしを他のＰＣ（パーソナルコンピュータ）を介さずに入れることができ、インタネット上で公開されている画像がどの携帯電話機で撮影した画像かを検索することできる。
【００２６】
よって、本実施例では、電子透かしで画像を検索することによって、どの携帯電話機で撮影された画像かを検索できるので、画像検索をする時に携帯電話機特有のＩＤを使うことで、その検索精度を向上させることができる。つまり、本実施例では、保存先での画像検索を効率よく行うことができるとともに、インタネット上へ流出した画像を容易に検索することができる。
【００２７】
尚、本実施例では、携帯電話機１のカメラ部１５で撮影された画像について述べたが、携帯電話機１に搭載されるアプリケーションプログラムで作成されるイメージデータにも適用することが可能である。
【００２８】
また、本実施例では、携帯電話機１にダウンロードされた楽曲や携帯電話機１の使用者が作成した着信メロディ等が他の機器（例えば、ＰＣや携帯電話機を含む携帯端末装置）に転送されてしまった場合にも、その楽曲や着信メロディ等の無断再生を防ぐことにも適用可能である。
【００２９】
図４は本発明の他の実施例による携帯電話機の構成を示すブロック図である。図４において、本発明の他の実施例ではメモリ部１４の代わりに、ダウンロードした楽曲（作成した着信メロディ等も含む）を記憶する楽曲記憶領域２０１を持ちかつオーディオ機能を実現するプログラムを記憶するメモリ部２０を搭載した以外は、図１に示す本発明の一実施例による携帯電話機１と同様の構成となっており、同一構成要素には同一符号を付してある。また、同一構成要素の動作は本発明の一実施例と同様である。
【００３０】
メモリ部２０の楽曲記憶領域２０１は、アンテナ１１と無線部１２と制御部１３とを通してダウンロードされた楽曲や図示せぬアプリケーションプログラムにて作成された着信メロディ等の楽曲を保持する。この場合、これらの楽曲には、上記の画像と同様に、メモリ部２０の端末ＩＤ記憶領域１４１内の携帯電話機特有のＩＤが電子透かしとして埋め込まれている。
【００３１】
図５は本発明の他の実施例による電子透かし埋め込み処理を示すフローチャートであり、図６は本発明の他の実施例による楽曲再生処理を示すフローチャートである。これら図４〜図６を参照して本発明の他の実施例による楽曲に対する処理について説明する。尚、図５及び図６に示す処理は制御部１３がメモリ部２０のプログラムを実行することで実現される。
【００３２】
携帯電話機１の制御部１３は無線部１２及びアンテナ１１を通して、図示せぬ専用のダウンロードサイトから楽曲をダウンロードすると（図５ステップＳ２１）、ダウンロードした楽曲にメモリ部２０の端末ＩＤ記憶領域１４１内の携帯電話機特有のＩＤを電子透かしとして埋め込み（図５ステップＳ２２）、電子透かし入りの楽曲を作成する（図５ステップＳ２３）。
【００３３】
携帯電話機１の制御部１３は作成した電子透かし入りの楽曲をメモリ部２０の楽曲記憶領域２０１に保持する（図５ステップＳ２４）。これによって、携帯電話機１ａでは楽曲記憶領域２０１に保持した楽曲を、メモリ部２０に記憶されたプログラムで実現されるオーディオ機能にて再生することができる。尚、本実施例では、ダウンロードされたり、アプリケーションプログラムにて作成された着信メロディ等の楽曲に対しても、メモリ部２０の端末ＩＤ記憶領域１４１内の携帯電話機特有のＩＤを電子透かしとして埋め込んで楽曲記憶領域２０１に保持することができる。
【００３４】
次に、上記の楽曲記憶領域２０１に保持した楽曲を再生する場合、携帯電話機１ａの制御部１３は楽曲記憶領域２０１に記憶された楽曲を読出して再生する際に（図６ステップＳ３１）、その楽曲に埋め込まれた電子透かしとメモリ部２０の端末ＩＤ記憶領域１４１内の携帯電話機特有のＩＤとを比較する（図６ステップＳ３２）。
【００３５】
この場合、携帯電話機１ａの制御部１３はそれらのＩＤが一致すると（図６ステップＳ３２）、上記のオーディオ機能にて楽曲を再生し、スピーカ１９等から外部に出力する（図６ステップＳ３３）。これに対し、携帯電話機１ａの制御部１３はそれらのＩＤが一致しなければ（図６ステップＳ３２）、上記のオーディオ機能による楽曲の再生を抑止する（図３ステップＳ３４）。
【００３６】
このように、本実施例では、携帯電話機特有のＩＤを楽曲に電子透かしとして埋め込むことで、その携帯電話機１ａだけでしか楽曲を聞くことができないようにすることが可能となる。但し、上述したアプリケーションプログラムにて作成された着信メロディ等の場合には、制御部１３で比較されるＩＤが一致しなければ、その端末において着信時に流すメロディとして設定できないようにする。
【００３７】
尚、携帯電話機１ａの使用者が電子メールへの添付の形態で、知人に作成された着信メロディ等を送付することで、インタネット上に流出した場合にも、上記の画像と同様に、携帯電話機特有のＩＤにて検索するで、その流出を検出することが可能である。
【図面の簡単な説明】
【００３８】
【図１】本発明の一実施例による携帯電話機の構成を示すブロック図である。
【図２】本発明の一実施例による電子透かし埋め込み処理を示すフローチャートである。
【図３】本発明の一実施例による画像検出処理を示すフローチャートである。
【図４】本発明の他の実施例による携帯電話機の構成を示すブロック図である。
【図５】本発明の他の実施例による電子透かし埋め込み処理を示すフローチャートである。
【図６】本発明の他の実施例による楽曲再生処理を示すフローチャートである。
【符号の説明】
【００３９】
１，１ａ  携帯電話機
１１  アンテナ
１２  無線部
１３  制御部
１４，２０  メモリ部
１５  キー入力部
１６  カメラ部
１７  表示部
１８  ＬＥＤ
１９  スピーカ
１４１  端末ＩＤ記憶領域
１４２  画像記憶領域
２０１  楽曲記憶領域
【図１】
2007158865.tif 000003
【図２】
2007158865.tif 000004
【図３】
2007158865.tif 000005
【図４】
2007158865.tif 000006
【図５】
2007158865.tif 000007
【図６】
2007158865.tif 000008